(57)【特許請求の範囲】
【請求項１】
高所の設置位置において設置対象物を着脱可能に保持する着脱式の保持装置であって、
前記設置位置に開口端が下側に位置するように固定される円筒状の固定部と、
前記固定部と同軸に配されて前記設置対象物を保持し、前記固定部内に下方から挿入され、前記固定部内から下方に抜け出る円筒状の着脱部と、
前記固定部内に挿入された前記着脱部を、その軸周りに回動させて所定の保持位置まで案内し、前記所定の保持位置から上昇された前記着脱部をその軸周りに回動させて所定の下降位置まで案内する着脱機構と、を備え、
前記着脱機構は、
前記着脱部の外周面にその周方向に所定間隔おきに設けられた複数の着脱側突起部と、
前記固定部の内周面にその周方向に前記複数の着脱側突起部と同じ間隔で且つ前記着脱側突起部が通過可能な空間が形成されるように設けられた複数の固定側突起部と、
前記固定部の内周面における前記固定側突起部よりも上側に前記複数の着脱側突起部と同じ間隔で設けられた固定側ガイド突起部と
を備え、
前記着脱側突起部には、互いに逆側に傾斜した上下の傾斜面が形成され、
前記固定側突起部の下部には、互いに逆側に傾斜した左右の傾斜面が、横幅方向中央部が下方に凸となるように形成され、
前記固定側突起部の上部には、互いに平行な左右の傾斜面が、横幅方向中央部に前記着脱側突起部の下側の鋭角な角部が嵌る段差部ができるように形成され、
前記固定側ガイド突起部には、互いに平行且つ前記固定側突起部の上部の傾斜面とは逆側に傾斜した左右の傾斜面が、横幅方向中央部に前記着脱側突起部の上側の鋭角な角部が嵌る段差部ができるように形成され、
前記固定側ガイド突起部は、左右の傾斜面が前記固定側突起部の上側の左右の鋭角な角部の上に位置するように配されている保持装置。
【請求項２】
前記着脱部の上部に一端が取り付けられた、前記着脱部を引き上げるための線状部材を備える請求項１に記載の保持装置。
【請求項３】
前記線状部材の他端側を下方へ転回する滑車を備える請求項２に記載の保持装置。
【請求項４】
前記着脱部の上部と前記固定部の上部との間に配され、前記着脱部を下側へ付勢する付勢部材を備える請求項１から請求項３までの何れか１項に記載の保持装置。
【請求項５】
前記設置対象物は、大気中に飛散している塩分を捕獲可能である素材を筒状に保持した塩分捕獲体である請求項１から請求項４までの何れか１項に記載の保持装置。
【請求項６】
請求項５に記載の保持装置と、
前記保持装置によって保持される前記塩分捕獲体と、
前記高所の設置位置に設けられ、前記保持装置を収容し、前記塩分捕獲体に導風する導風口が設けられた箱と
を備える飛散塩分捕獲装置。
【請求項７】
高所の設置位置において設置対象物を着脱可能に保持する着脱式の保持装置であって、前記設置位置に開口端が下側に位置するように固定される円筒状の固定部と、前記固定部と同軸に配されて前記設置対象物を保持し、前記固定部内に下方から挿入され、前記固定部内から下方に抜け出る円筒状の着脱部と、前記固定部内に挿入された前記着脱部を、その軸周りに回動させて所定の保持位置まで案内し、前記所定の保持位置から上昇された前記着脱部をその軸周りに回動させて所定の下降位置まで案内する着脱機構と、を有する保持装置と、
前記保持装置によって保持される前記設置対象物であり、大気中に飛散している塩分を捕獲可能である素材を筒状に保持した塩分捕獲体と、
前記高所の設置位置に設けられ、前記保持装置を収容し、前記塩分捕獲体に導風する導風口が設けられた箱と
を備える飛散塩分捕獲装置。
【発明の詳細な説明】
【技術分野】
【０００１】
本発明は、着脱式の保持装置、及び該保持装置を備え、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに塩分を含んだ大気を通過させてガーゼに塩分を付着させ、その付着した塩分の量を測定するというものである。【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
ところで、百葉箱を鉄塔等の高所に設置してその中に上述のガーゼを設置することにより、高所での飛散塩分量を測定できる。この場合、ガーゼを交換するために百葉箱を高所で上げたり下したりするのでは作業性が悪い。そのため、高所に設置した百葉箱の中でガーゼを保持するホルダーを着脱できるようにすることが望ましい。なお、特許文献１に記載の送り出し機構を百葉箱内に設置することはこれらの寸法上難しい。【０００６】
本発明は、上記事情に鑑みてなされたものであり、飛散塩分を捕獲するガーゼ等の高所に設置する設置対象物の交換作業を容易化することを課題とするものである。
【課題を解決するための手段】
【０００７】
本発明に係る保持装置は、高所の設置位置において設置対象物を着脱可能に保持する着脱式の保持装置であって、前記設置位置に開口端が下側に位置するように固定される円筒状の固定部と、前記固定部と同軸に配されて前記設置対象物を保持し、前記固定部内に下方から挿入され、前記固定部内から下方に抜け出る円筒状の着脱部と、前記固定部内に挿入された前記着脱部を、その軸周りに回動させて所定の保持位置まで案内し、前記所定の保持位置から上昇された前記着脱部をその軸周りに回動させて所定の下降位置まで案内する着脱機構と、を備え、前記着脱機構は、前記着脱部の外周面にその周方向に所定間隔おきに設けられた複数の着脱側突起部と、前記固定部の内周面にその周方向に前記複数の着脱側突起部と同じ間隔で且つ前記着脱側突起部が通過可能な空間が形成されるように設けられた複数の固定側突起部と、前記固定部の内周面における前記固定側突起部よりも上側に前記複数の着脱側突起部と同じ間隔で設けられた固定側ガイド突起部とを備え、前記着脱側突起部には、互いに逆側に傾斜した上下の傾斜面が形成され、前記固定側突起部の下部には、互いに逆側に傾斜した左右の傾斜面が、横幅方向中央部が下方に凸となるように形成され、前記固定側突起部の上部には、互いに平行な左右の傾斜面が、横幅方向中央部に前記着脱側突起部の下側の鋭角な角部が嵌る段差部ができるように形成され、前記固定側ガイド突起部には、互いに平行且つ前記固定側突起部の上部の傾斜面とは逆側に傾斜した左右の傾斜面が、横幅方向中央部に前記着脱側突起部の上側の鋭角な角部が嵌る段差部ができるように形成され、前記固定側ガイド突起部は、左右の傾斜面が前記固定側突起部の上側の左右の鋭角な角部の上に位置するように配されている。
【０００９】
また、前記保持装置は、前記着脱部の上部に一端が取り付けられた、前記着脱部を引き上げるための線状部材を備えてもよい。その場合において、前記保持装置は、前記線状部材の他端側を下方へ転回する滑車を備えてもよい。【００１０】
また、前記保持装置は、前記着脱部の上部と前記固定部の上部との間に配され、前記着脱部を下側へ付勢する付勢部材を備えてもよい。【００１１】
また、前記保持装置において、前記設置対象物は、大気中に飛散している塩分を捕獲可能である素材を筒状に保持した塩分捕獲体であってもよい。【００１２】
また、本発明に係る飛散塩分捕獲装置は、前記保持装置と、前記保持装置によって保持される前記塩分捕獲体と、前記高所の設置位置に設けられ、前記保持装置を収容し、前記塩分捕獲体に導風する導風口が設けられた箱とを備える。
また、本発明に係る飛散塩分捕獲装置は、高所の設置位置において設置対象物を着脱可能に保持する着脱式の保持装置であって、前記設置位置に開口端が下側に位置するように固定される円筒状の固定部と、前記固定部と同軸に配されて前記設置対象物を保持し、前記固定部内に下方から挿入され、前記固定部内から下方に抜け出る円筒状の着脱部と、前記固定部内に挿入された前記着脱部を、その軸周りに回動させて所定の保持位置まで案内し、前記所定の保持位置から上昇された前記着脱部をその軸周りに回動させて所定の下降位置まで案内する着脱機構と、を有する保持装置と、前記保持装置によって保持される前記設置対象物であり、大気中に飛散している塩分を捕獲可能である素材を筒状に保持した塩分捕獲体と、前記高所の設置位置に設けられ、前記保持装置を収容し、前記塩分捕獲体に導風する導風口が設けられた箱とを備える。
【発明の効果】
【００１３】
本発明によれば、飛散塩分を捕獲するガーゼ等の高所に設置する設置対象物の交換作業を容易化することができる。
【図面の簡単な説明】
【００１４】
【図１】一実施形態に係る飛散塩分捕獲装置を示す斜視図である。
【図２】一実施形態に係る飛散塩分捕獲装置を示す縦断面図である。
【図３】保持装置及び操作機構を示す斜視図である。
【図４】保持装置及び操作機構を示す斜視図である。
【図５】保持装置の正面図及び平断面図である。
【図６】着脱部を固定部に装着する手順を説明するための図である。
【図７】着脱部を固定部に装着する手順を説明するための図である。
【図８】着脱部を固定部に装着する手順を説明するための図である。
【図９】着脱部を固定部に装着する手順を説明するための図である。
【図１０】着脱部を固定部に装着する手順を説明するための図である。
【図１１】着脱部を固定部に装着する手順を説明するための図である。
【図１２】着脱部を固定部に装着する手順を説明するための図である。
【図１３】着脱部を固定部に装着する手順を説明するための図である。
【図１４】着脱部を固定部から取り外す手順を説明するための図である。
【図１５】着脱部を固定部から取り外す手順を説明するための図である。
【図１６】着脱部を固定部から取り外す手順を説明するための図である。
【図１７】着脱部を固定部から取り外す手順を説明するための図である。
【図１８】着脱部を固定部から取り外す手順を説明するための図である。
【図１９】操作機構の変形例を示す立断面図である。
【発明を実施するための形態】
【００１５】
以下、図面を参照しながら、本発明を実施するための形態を説明する。図１は、一実施形態に係る飛散塩分捕獲装置１０を示す斜視図であり、図２は、飛散塩分捕獲装置１０を示す縦断面図である。これらの図に示すように、飛散塩分捕獲装置１０は、百葉箱１と、百葉箱１内に設置された塩分捕獲体２０と、塩分捕獲体２０を着脱可能に百葉箱１に保持する保持装置１００と、保持装置１００の着脱操作をするための操作機構３０とを備えている。
【００１６】
百葉箱１は、直方体状の箱であり、四つの側面にルーバー２が設けられている。ルーバー２は、奥側へかけて上側に傾斜する整流板が縦に並んだ構成である。また、百葉箱１の底面は、塩分捕獲体２０を箱内に出し入れするために開口している。
【００１７】
図２に示すように、塩分捕獲体２０は、通気性を有し、飛散する塩分を捕獲可能であるガーゼ２２と、ガーゼ２２が巻き付けられた円筒形状のガーゼホルダー２４とを備えている。ガーゼホルダー２４は、網状の円筒体２４Ａと、円筒体２４Ａの上下両端を閉塞する円板状の蓋部２４Ｂ、２４Ｃとを備えている。
【００１８】
図３及び図４は、保持装置１００及び操作機構３０を示す斜視図である。これらの図に示すように、保持装置１００は、百葉箱１に固定された固定部１１０と、固定部１１０に着脱される着脱部１２０と、着脱部１２０と固定部１１０とをロック状態又はロック解除状態にするロック機構１３０とを備えている。固定部１１０は、軸方向一端が蓋部１１２で塞がれ軸方向他端が開口した円筒体であり、蓋部１１２が上に開口が下に位置するように、百葉箱１に固定されている。ここで、蓋部１１２の中心には、後述のロープ３２を通す孔１１２Ａが形成されている。
【００１９】
着脱部１２０は、軸方向両端が蓋部１２２Ａ、１２２Ｂで塞がれた円筒体であり、固定部１１０と同軸に配されて固定部１１０内に収納されている。この着脱部１２０の下側の蓋部１２２Ｂには、塩分捕獲体２０の上端の蓋部２４Ｂが取り付けられている。ここで、蓋部１２２Ｂには凹部が形成され、該凹部の周縁にはねじ溝が形成されているのに対して、塩分捕獲体２０の蓋部２４Ｂには、上記ねじ溝と螺合するねじ部が形成されていることにより、塩分捕獲体２０が着脱部１２０に対して着脱可能となっている。
【００２０】
ロック機構１３０は、固定部１１０の内周面の下部に設けられた複数の固定側突起部１３２と、固定部１１０の内周面の上部に設けられた複数の固定側ガイド突起部１３４と、着脱部１２０の外周面に設けられた複数の着脱側突起部１３６と、固定部１１０の蓋部１１２と着脱部１２０の蓋部１２２Ａとの間に配されたバネ１３８とを備えている。
【００２１】
複数（例えば、３個）の固定側突起部１３２は、固定部１１０の周方向に所定間隔（例えば、６０°おき）で配されている（図５のＢ−Ｂ断面参照）。この固定側突起部１３２は、左右一対の鉛直な側面１３２Ａ、１３２Ｂと４つの傾斜面１３２Ｃ、１３２Ｄ、１３２Ｅ、１３２Ｆを備えている。
【００２２】
傾斜面１３２Ｃ、１３２Ｄは、固定側突起部１３２の下部に、幅方向の端から中央に行くにつれて下方に所定角度（例えば、約３０°）で傾斜するように設けられており、固定側突起部１３２の下部は逆三角形状に形成されている。また、傾斜面１３２Ｃと傾斜面１３２Ｄとにより、鈍角（例えば、約１２０°）の角部が形成されている。さらに、傾斜面１３２Ｃと側面１３２Ａとにより鈍角（例えば、約１２０°）の角部が形成され、傾斜面１３２Ｄと側面１３２Ｂとにより鈍角（例えば、約１２０°）の角部が形成されている。
【００２３】
傾斜面１３２Ｅ、１３２Ｆは、固定側突起部１３２の上部に設けられている。一方の傾斜面１３２Ｅは、幅方向一端から中央へ行くにつれて下方に所定角度（例えば、約３０°）で傾斜するように設けられ、他方の傾斜面１３２Ｆは、幅方向中央から他端へ行くにつれて下方に所定角度（例えば、約３０°）で傾斜するように設けられている。また、傾斜面１３２Ｅ、１３２Ｆの上端は同じ高さに位置しており、これにより、傾斜面１３２Ｅと傾斜面１３２Ｆとの境界には、段差部１３２Ｇ及び鋭角（例えば、約６０°）の角部１３２Ｊが形成されている。
【００２４】
また、傾斜面１３２Ｃと傾斜面１３２Ｅとは互いに平行に上下に並ぶように配され、傾斜面１３２Ｄと傾斜面１３２Ｆとは互いに逆側に傾斜し上下に並ぶように配されている。また、傾斜面１３２Ｅと側面１３２Ａとにより鋭角な角部（例えば、約６０°）１３２Ｈが形成され、傾斜面１３２Ｆと側面１３２Ｂとにより鈍角な角部（例えば、約１２０°）１３２Ｉが形成されている。
【００２５】
複数（例えば、３個）の固定側ガイド突起部１３４は、固定部１１０の周方向に所定間隔（例えば、６０°おき）に配されている（図５のＡ−Ａ断面参照）。この固定側ガイド突起部１３４は、左右一対の傾斜面１３４Ａ、１３４Ｂを備えている。一方の傾斜面１３４Ａは、幅方向一端から中央へ行くにつれて上方へ所定角度（例えば、約３０°）で傾斜するように設けられ、他方の傾斜面１３４Ｂは、幅方向中央から他端へ行くにつれて上方へ所定角度（例えば、約３０°）で傾斜するように設けられている。即ち、傾斜面１３４Ａ、１３４Ｂは、傾斜面１３２Ｅ、１３２Ｆに対して逆側に傾斜している。また、傾斜面１３４Ａ、１３４Ｂの上端は同じ高さに位置しており、これにより、傾斜面１３４Ａと傾斜面１３４Ｂとの境界には、段差部１３４Ｃが形成されている。
【００２６】
ここで、図５に示すように、傾斜面１３４Ａは、その中央部が角部１３２Ｈの鉛直上方に位置するように配され、傾斜面１３４Ｂは、その中央部が段差部１３２Ｇ及び角部１３２Ｊの鉛直上方に位置するように配されている。即ち、固定側ガイド突起部１３４は、固定側突起部１３２に対して所定角度（例えば、１５°）だけ周方向にずらして配されており、固定側ガイド突起部１３４の傾斜面１３４Ａの一部（例えば、半分の長さ）は、固定側突起部１３２間の空間の鉛直上方に位置している。
【００２７】
複数（例えば、３個）の着脱側突起部１３６は、着脱部１２０の周方向に所定間隔（例えば、６０°おき）で配されている（図５のＢ−Ｂ断面参照）。この着脱側突起部１３４は、左右一対の鉛直な側面１３６Ａ、１３６Ｂと上下一対の傾斜面１３６Ｃ、１３６Ｄを備えている。また、着脱側突起部１３６の横幅（左右一対の側面１３６Ａ、１３６Ｂの間隔）は、複数の固定側突起部１３２間の空間の横幅よりも僅かに狭くなっている。
【００２８】
傾斜面１３６Ｃは、固定側突起部１３２の上部に、幅方向の一端から他端に行くにつれて上方に所定角度（例えば、約３０°）で傾斜するように設けられている。また、傾斜面１３６Ｄは、固定側突起部１３２の下部に、幅方向の一端から他端に行くにつれて下方に所定角度（例えば、約３０°）で傾斜するように設けられている。即ち、傾斜面１３６Ｃ、１３６Ｄは、互いに逆側に傾斜している。
【００２９】
傾斜面１３６Ｃと側面１３６Ａとにより鈍角（例えば、約１２０°）の角部が形成され、傾斜面１３６Ｃと側面１３６Ｂとにより鋭角（例えば、約６０°）の角部１３６Ｅが形成されている。また、傾斜面１３６Ｄと側面１３６Ａとにより鈍角（例えば、約１２０°）の角部が形成され、傾斜面１３６Ｄと側面１３６Ｂとにより鋭角（例えば、約６０°）の角部１３６Ｆが形成されている。
【００３０】
また、傾斜面１３６Ｃは、固定側ガイド突起部１３４の傾斜面１３４Ａ、１３４Ｂ、及び固定側突起部１３２の傾斜面１３２Ｄに対して平行であり、固定側突起部１３２の傾斜面１３２Ｃ、１３２Ｅ、１３２Ｆに対して逆側に傾斜している。また、傾斜面１３６Ｄは、固定側突起部１３２の傾斜面１３２Ｃ、１３２Ｅ、１３２Ｆに対して平行であり、固定側ガイド突起部１３４の傾斜面１３４Ａ、１３４Ｂに対して逆側に傾斜している。
【００３１】
図３に示すように、着脱部１２０が固定部１１０に装着され、これらがロック機構１３０によりロックされた状態では、着脱側突起部１３６の下側の傾斜面１３６Ｄと固定側突起部１３２の上側の一方の傾斜面１３２Ｅとが当接し、着脱側突起部１３６の下側の角部１３６Ｆと固定側突起部１３２の段差部１３２Ｇとが嵌り合う。
【００３２】
ここで、バネ１３８は、圧縮コイルバネであって、その一端側が固定部１１０の蓋部１１２の下面中央部に取り付けられており、蓋部１１２と着脱部１２０の蓋部１２２Ａとの間に弾性変形され圧縮された状態で介在している。これにより、着脱部１２０がバネ１３８の弾性力で下方に付勢され、着脱側突起部１３６の下側の傾斜面１３６Ｄと固定側突起部１３２の上側の一方の傾斜面１３２Ｅとが互いに圧接される。従って、着脱部１２０の固定部１１０内でのがたつきが抑えられ、ロック機構１３０によるロック状態が維持される。
【００３３】
図３及び図４に示すように、操作機構３０は、ロープ３２と、滑車３４、３６とを備えている。ロープ３２の一端は、着脱部１２０の蓋部１２２Ａの中心に取り付けられている。また、滑車３４、３６は、固定部１１０よりも上側に互いに平行な水平軸の周りに回転可能に配されており、百葉箱１に支持されている。
【００３４】
ここで、ロープ３２は、固定部１１０の蓋部１１２の中心の孔１１２Ａに通されて滑車３４、３６に巻き掛けられている。滑車３４は、孔１１２Ａから鉛直上方に延びるロープ３２が水平方向に転回されるように配され、滑車３４は、滑車３４から水平方向に延びるロープ３２が鉛直下方に転回されるように配されている。
【００３５】
図６〜図１３は、着脱部１２０を固定部１１０に装着する手順を説明するための図である。図６に示すように、着脱部１２０を固定部１１０に装着する際には、ロープ３２を引くことにより着脱部１２０を上昇させる。この際、図７及び図８に示すように、着脱側突起部１３６の位置が、固定側突起部１３２間の空間の位置に対して周方向にずれている場合には、着脱側突起部１３６の角部１３６Ｅが、固定側突起部１３２の傾斜面１３２Ｃに当たったり（図７参照）、着脱側突起部１３６の傾斜面１３６Ｃが傾斜面１３２Ｄに当たったりする。ここで、図７に示すように、角部１３６Ｅが傾斜面１３２Ｃに当たった場合には、角部１３６Ｅが傾斜面１３２Ｃにより斜め上方へ案内されることにより、着脱部１２０が平面視での時計回り方向に回転して、着脱側突起部１３６が、固定側突起部１３２間の空間に案内される。一方、図８に示すように、傾斜面１３６Ｃが傾斜面１３２Ｄに当たった場合には、傾斜面１３６Ｃが傾斜面１３２Ｄにより斜め上方に案内されることにより、着脱部１２０が平面視での反時計回り方向に回転して、着脱側突起部１３６が、固定側突起部１３２間の空間に案内される。
【００３６】
次に、図９に示すように、着脱側突起部１３６が固定側突起部１３２間の空間を通過することにより、着脱部１２０が固定部１１０内で上方に移動する。ここで、図１０に示すように、着脱部１２０が固定部１１０の奥まで引き上げられると、着脱側突起部１３６の傾斜面１３６Ｃが、固定側ガイド突起部１３４の傾斜面１３４Ａに当たる。そして、図１１に示すように、傾斜面１３６Ｃが傾斜面１３４Ａにより斜め上方に案内されることにより、着脱部１２０が平面視で反時計回り方向に回転して、着脱側突起部１３６の角部１３６Ｅが固定側ガイド突起部１３４の段差部１３４Ｃに嵌る。これにより、着脱部１２０の平面視での反時計回り方向への回転が止まる。
【００３７】
次に、図１２に示すように、引いていたロープ３２を緩めると、着脱部１２０が自重及びバネ１３８の弾性力により下降し、着脱側突起部１３６の傾斜面１３６Ｄが、固定側突起部１３２の傾斜面１３２Ｅに当たる。そして、傾斜面１３６Ｄが、傾斜面１３２Ｅにより斜め下方に案内される。これにより、図１３に示すように、着脱部１２０が平面視での反時計回り方向に回転して、着脱側突起部１３６の角部１３６Ｆが固定側突起部１３２の段差部１３２Ｇに嵌り、着脱部１２０が固定部１１０にロック機構１３０によりロックされた状態になる。
【００３８】
図１４〜図１８は、着脱部１２０を固定部１１０から取り外す手順を説明するための図である。図１４に示すように、着脱部１２０を固定部１１０から取り外す際には、ロープ３２を引くことにより着脱部１２０を一旦上昇させる。この際、図１５に示すように、着脱側突起部１３６の傾斜面１３６Ｃが、固定側ガイド突起部１３４の傾斜面１３４Ｂに当たる。そして、傾斜面１３６Ｃが、傾斜面１３４Ｂにより斜め上方に案内されることにより、着脱部１２０が平面視での反時計回り方向に回転する。
【００３９】
次に、図１６に示すように、引いていたロープ３２を緩めると、着脱部１２０が自重及びバネ１３８の弾性力により下降し、着脱側突起部１３６の傾斜面１３６Ｄが、固定側突起部１３２の傾斜面１３２Ｆに当たる。そして、図１７に示すように、傾斜面１３６Ｄが、傾斜面１３２Ｆにより斜め下方に案内されることにより、着脱部１２０が反時計回り方向に回転して、着脱側突起部１３６が、固定側突起部１３２間の空間に案内される。これにより、図１８に示すように、ロック機構１３０によるロックが解除された状態になり、着脱部１２０を固定部１１０から取り外すことができるようになる。
【００４０】
以上説明したように、本実施形態に係る保持装置１００は、高所の設置位置たる百葉箱１内において設置対象物たる塩分捕獲体２０を着脱可能に保持する着脱式の保持装置であって、設置位置に開口端が下側に位置するように固定される円筒状の固定部１１０と、固定部１１０と同軸に配されて塩分捕獲体２０を保持し、固定部１１０内に下方から挿入され、固定部１１０内から下方に抜け出る円筒状の着脱部１２０と、固定部１１０内に挿入された着脱部１２０を、その軸周りに回動させて所定の保持位置まで案内し、該所定の保持位置から上昇された着脱部１２０をその軸周りに回動させて所定の下降位置まで案内するロック機構１３０とを備える。これによって、例えば、本実施形態のように着脱部１２０にロープ３２を取り付けてそのロープ３２により着脱部１２０を引き上げることによって、着脱部１２０を固定部１１０に装着したり取り外したりすることができ、高所の百葉箱１内に塩分捕獲体２０を設置し回収する作業を容易に行うことができる。
【００４１】
また、ロック機構１３０は、着脱部１２０の外周面にその周方向に所定間隔おきに設けられた複数の着脱側突起部１３６と、固定部１１０の内周面にその周方向に複数の着脱側突起部１３６と同じ間隔で且つ着脱側突起部１３６が通過可能な空間が形成されるように設けられた複数の固定側突起部１３２と、固定部１１０の内周面における固定側突起部１３２よりも上側に複数の着脱側突起部１３６と同じ間隔で設けられた固定側ガイド突起部１３４とを備えている。ここで、着脱側突起部１３６には、互いに逆側に傾斜した上下の傾斜面１３６Ｃ、１３６Ｄが形成されている。また、固定側突起部１３２の下部には、互いに逆側に傾斜した左右の傾斜面１３２Ｃ、１３２Ｄが、横幅方向中央部が下方に凸となるように形成されている。また、固定側突起部１３２の上部には、互いに平行な左右の傾斜面１３２Ｅ、１３２Ｆが、横幅方向中央部に着脱側突起部１３６の下側の鋭角な角部１３６Ｆが嵌る段差部１３２Ｇができるように形成され、固定側ガイド突起部１３４には、互いに平行且つ固定側突起部１３２の上部の傾斜面１３２Ｅ、１３２Ｆとは逆側に傾斜した左右の傾斜面１３４Ａ、１３４Ｂが、横幅方向中央部に着脱側突起部１３６の上側の鋭角な角部１３６Ｅが嵌る段差部１３４Ｃができるように形成されている。さらに、固定側ガイド突起部１３４は、左右の傾斜面１３４Ａ、１３４Ｂが固定側突起部１３２の上側の左右の鋭角な角部１３２Ｈ、１３２Ｊの上に位置するように配されている。これによって、固定部１１０内に挿入された着脱部１２０を、その軸周りに回動させて所定の保持位置まで案内したり、該所定の保持位置から上昇された着脱部１２０をその軸周りに回動させて所定の下降位置まで案内したりすることができる。
【００４２】
また、着脱部１２０の上部には、着脱部１２０を引き上げるための線状部材たるロープ３２の一端が取り付けられ、このロープ３２の他端側が滑車３４、３６により下方へ転回されている。これによって、ロープ３２により着脱部１２０を引き上げるという簡単な操作により、高所の百葉箱１内に設置される飛散塩分捕獲体２０を設置したり回収したりすることができる。
【００４３】
また、着脱部１２０の上部と固定部１１０の上部との間に付勢部材たるバネ１３８を配して、該バネ１３８により着脱部１２０を下側へ付勢している。これによって、着脱部１２０の固定部１１０内でのがたつきを抑制できる。
【００４４】
また、本実施形態に係る飛散塩分捕獲装置１０では、塩分捕獲体２０を側面にルーバー２が設けられた百葉箱１内に設置したことにより、塩分捕獲体２０に、設置場所の屋根の有無にかかわらず雨の影響を受けることがないように、風速に応じた量の塩分を付着させることができる。
【００４５】
図１９は、操作機構３０の変形例を示す立断面図である。この図に示すように、本実施例では、ロープ３２の一端がバネ３９を介して百葉箱１の下方の床面や構造物等に取り付けられている。このバネ３９は、引張コイルバネであり、バネ３９が弾性的に伸長し、ロープ３２が緊張した状態となっている。
【００４６】
ここで、バネ３９の弾性係数は、バネ１３８の弾性係数よりも低く設定されており、バネ３９によるロープ３２を引き下げる力が、バネ１３８による着脱部１２０を押し下げる力を上回らないようになっている。これによって、ロープ３２を弛まない状態で定位置に留めておくことができると共に、ロープ３２の張力によってロック機構１３０の機能が阻害されることを防止できる。
【００４７】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、高所に設置される設置対象物が飛散塩分捕獲体２０である場合を例に挙げて本発明を説明したが、各種センサーや電球等の他の設置対象物に対しても本発明を適用できる。
【００４８】
また、上記実施形態では、ロープ３２で着脱部１２０を引き上げることにより、着脱部１２０が固定部１１０に対して着脱されるように構成したが、棒で着脱部１２０を押し上げることにより、着脱部１２０が固定部１１０に対して着脱されるように構成する等してもよい。さらに、上記実施形態では、塩分捕獲体２０を円筒状としたが角筒状等の他の筒形状としてもよい。
【符号の説明】
【００４９】
１  百葉箱、２  ルーバー、１０  飛散塩分捕獲装置、２０  塩分捕獲体、２２  ガーゼ、２４  ガーゼホルダー、２４Ａ  円筒体、２４Ｂ、２４Ｃ  蓋部、３０  操作機構、３２  ロープ、３４、３６  滑車、３９  バネ、１００  保持装置、１１０  固定部、１１２  蓋部、１１２Ａ  孔、１２０  着脱部、１２２Ａ、１２２Ｂ  蓋部、１３０  ロック機構、１３２  固定側突起部、１３２Ａ、１３２Ｂ  側面、１３２Ｃ、１３２Ｄ、１３２Ｅ、１３２Ｆ  傾斜面、１３２Ｇ  段差部、１３２Ｈ、１３２Ｉ、１３２Ｊ  角部、１３４  固定側ガイド突起部、１３４Ａ、１３４Ｂ  傾斜面、１３４Ｃ  段差部、１３６  着脱側突起部、１３６Ａ、１３６Ｂ  側面、１３６Ｃ、１３６Ｄ  傾斜面、１３６Ｅ、１３６Ｆ  角部、１３８  バネ
【要約】
【課題】飛散塩分を捕獲するガーゼ等の高所に設置する設置対象物の交換作業を容易化する。
【解決手段】高所の設置位置において設置対象物たる塩分捕獲体２０を着脱可能に保持する着脱式の保持装置１００であって、前記設置位置に開口端が下側に位置するように固定される円筒状の固定部１１０と、固定部１１０と同軸に配されて塩分捕獲体２０を保持し、固定部１１０内に下方から挿入され、固定部１１０内から下方に抜け出る円筒状の着脱部１２０と、固定部１１０内に挿入された着脱部１２０を、その軸周りに回動させて所定の保持位置まで案内し、前記所定の保持位置から上昇された着脱部１２０をその軸周りに回動させて所定の下降位置まで案内するロック機構１３０とを備える。【図１】
0005805914.tif 000002
【図２】
0005805914.tif 000003
【図３】
0005805914.tif 000004
【図４】
0005805914.tif 000005
【図５】
0005805914.tif 000006
【図６】
0005805914.tif 000007
【図７】
0005805914.tif 000008
【図８】
0005805914.tif 000009
【図９】
0005805914.tif 000010
【図１０】
0005805914.tif 000011
【図１１】
0005805914.tif 000012
【図１２】
0005805914.tif 000013
【図１３】
0005805914.tif 000014
【図１４】
0005805914.tif 000015
【図１５】
0005805914.tif 000016
【図１６】
0005805914.tif 000017
【図１７】
0005805914.tif 000018
【図１８】
0005805914.tif 000019
【図１９】
0005805914.tif 000020